(57)【要約】  【課題】  外気取込装置を備えて、外気温に影響されずに室温を正確に検出できるようにした天井埋込型の空気調和機を提供する。  【解決手段】  空気吸込部２と空気吹出部３とを結ぶ空気通路に送風機４と熱交換器５とを備えた本体１と、同本体１に対応して吸込口７と複数の吹出口８とを備えた化粧パネル９と、前記本体１と前記化粧パネル９との間に設けられ、外気を取り込む取込口１０と、取り込んだ外気と吸い込んだ空気とを前記空気吸込部２に導く空気吸込路１３ａと、前記空気吹出部３と前記吹出口８とを連通する空気吹出路１３ｂとを備えた外気取込用のスペーサ１３と、前記本体１または前記スペーサ１３に備えた電装部１１および第一の室温センサ１２’とからなり、前記スペーサ１３に備えた取込口１０よりも下位部であって前記空気吸込路１３ａの吸込側に、前記第一の室温センサ１２’と切替え可能に第二の室温センサ１２が設けられてなる構成にした。【選択図】  図３
2010210131.tif 000002
【特許請求の範囲】
【請求項１】
下部中央にベルマウスからなる空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部と前記吹出口とを連通する空気吹出路とを備えた外気取込用のスペーサと、前記本体または前記スペーサに備えた電装部および第一の室温センサとからなり、
前記スペーサに備えた取込口よりも下位部であって前記空気吸込路の吸込側に、前記第一の室温センサと切替え可能に第二の室温センサが設けられてなることを特徴とする天井埋込型の空気調和機。
【請求項２】
下部中央にベルマウスからなる空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部と前記吹出口とを連通する空気吹出路とを備えた外気取込用のスペーサと、前記本体または前記スペーサに備えた電装部および第一の室温センサとからなり、
前記スペーサに備えた取込口よりも下位部であって前記空気吸込路の吸込側に、前記第一の室温センサに替えて第二の室温センサが設けられてなることを特徴とする天井埋込型の空気調和機。
【請求項３】
前記ベルマウスの側方に前記電装部が設けられ、同電装部に対向して前記第二の室温センサが設けられるとともに、同第二の室温センサの側方に前記取込口が設けられてなることを特徴とする請求項１または請求項２に天井埋込型の空気調和機。
【請求項４】
前記第二の室温センサに前記外気が当たりにくくする遮風体が設けられてなることを特徴とする請求項１乃至請求項３の何れかに記載の天井埋込型の空気調和機。
【発明の詳細な説明】
【技術分野】
【０００１】
本発明は、外気取込装置を備えた天井埋込型の空気調和機に関する。
【背景技術】
【０００２】
従来の天井埋込型の空気調和機は、図１に示すｃ部のように、室内空気を吸い込むための空気吸込部２をなすベルマウス１４の側方に設けられた電装品箱１１や、または図３に示すように、ベルマウス１４の内側には、室温を検出するための第一の室温センサ１２’が搭載されており、この第一の室温センサ１２’で検出した温度に基づいて空気調和するようにしている。
【０００３】
なお、図１は天井埋込型の空気調和機を吸込グリルやエアフィルタを取り外して下方から見た図であり、図３は図１に示すＡ−Ａ断面図である。
【０００４】
天井埋込型の空気調和機には、近年、吸込口７から室内空気を吸い込むとともに、ダクトＤを接続して外気を取り込み、吸い込んだ室内空気と取り込んだ外気とを混合して熱交換器５で熱交換し、吹出口８から室内に吹き出して空気調和を行うようにしたものがある。
【０００５】
ダクトＤは、例えば、空気調和機の本体１を構成する外胴に接続されることによって外気を本体１内に導入する構成でなるものがあり、この場合、吸込口７から吸い込まれた室内空気と外気とが充分に混じりにくいという問題があった。
【０００６】
または、ダクトＤは、例えば、空気調和機の本体１と化粧パネル９との間に設けられたオプションキットである外気取込装置（スペーサ）１３に接続されることによって外気を本体１内に導入する構成でなるものがあり、この場合、外気取込装置（スペーサ）１３を設けることができるだけの天井フトコロの深さが必要となっているが、吸込口７から吸い込んだ室内空気と、ダクトＤから取り込んだ外気とを混合しやすいことから、本体１と、外気取込装置（スペーサ）１３と、化粧パネル９とからなるこのタイプのものが多く使用されている。
【０００７】
しかしながら、吸込口７から吸い込んだ室内空気と、ダクトＤから取り込んだ外気とが混合することから、ベルマウス１４の内側や電装品箱１１に搭載されている第一の室温センサ１２’が、外気と混合していない室温を正確に検出することができにくくなり、したがって、この第一の室温センサ１２’で検出した温度に基づいて室温を快適に空気調和することが困難になっていた。
【０００８】
また、室温を正確に検出できるように、図示はしないが、例えば第一の室温センサ１２’を化粧パネル９に設けたような場合には、吸込口７から吸い込んだ室内空気に、ダクトＤから取り込んだ外気が混じらない構成になる一方、化粧パネル９の開閉時に、第一の室温センサ１２’に配線が引き廻されているため開閉しにくくなったり、配線長が長くなってしまうという問題点を有していた。
【０００９】
または、正確な室温が検出できるように構成したものとして、図４に示すように、室内の壁面ａに取り付けられる遠隔制御器ｂに室内空気を取り入れる導入室ｃを設けて、この導入室ｃ内に室内空気の温度および／または湿度を検出する検出素子ｄを収納するとともに、この導入室ｃ内の室内空気を空気調和機ｅに導く吸気ダクトｆを室内の壁面ａに埋め込んだことを特徴とするものがあった（例えば、実開昭６３ー１０１７４０号公報）。
【００１０】
しかしながら、このように、導入室ｃ内に取り入れた室内空気を空気調和機ｅに導く吸気ダクトｆを室内の壁面ａに埋め込む場合、作業が大掛かりになって、コスト高になってしまうという問題点を有していた。
【先行技術文献】
【特許文献】
【００１１】
【特許文献１】実開昭６３ー１０１７４０号公報
【発明の概要】
【発明が解決しようとする課題】
【００１２】
そこで、本発明は上述した課題を解決するためになされたものであって、その目的は、外気取込装置を備えて、外気温に影響されずに室温を正確に検出できるようにした天井埋込型の空気調和機を提供することにある。
【課題を解決するための手段】
【００１３】
上述した目的を達成できるように構成するため、本発明は以下に示す特徴を備えている。
【００１４】
下部中央にベルマウスからなる空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部と前記吹出口とを連通する空気吹出路とを備えた外気取込用のスペーサと、前記本体または前記スペーサに備えた電装部および第一の室温センサとからなり、
前記スペーサに備えた取込口よりも下位部であって前記空気吸込路の吸込側に、前記第一の室温センサと切替え可能に第二の室温センサが設けられてなることを特徴としている。
【００１５】
また、下部中央にベルマウスからなる空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応する複数の吹出口とを備えた化粧パネルと、前記本体と前記化粧パネルとの間に設けられ、ダクトを接続して外気を取り込む取込口と、同取込口から取り込んだ外気と前記吸込口から吸い込んだ空気とを前記空気吸込部に導く空気吸込路と、前記空気吹出部と前記吹出口とを連通する空気吹出路とを備えた外気取込用のスペーサと、前記本体または前記スペーサに備えた電装部および第一の室温センサとからなり、
前記スペーサに備えた取込口よりも下位部であって前記空気吸込路の吸込側に、前記第一の室温センサに替えて第二の室温センサが設けられてなることを特徴としている。
【００１６】
前記ベルマウスの側方に前記電装部が設けられ、同電装部に対向して前記第二の室温センサが設けられるとともに、同第二の室温センサの側方に前記取込口が設けられてなることを特徴としている。
【００１７】
また、前記第二の室温センサに前記外気が当たりにくくする遮風体が設けられてなることを特徴としている。
【発明の効果】
【００１８】
本発明によれば、外気取込装置を備えて、外気温に影響されずに室温を正確に検出できるようにした天井埋込型の空気調和機を提供できる。
【図面の簡単な説明】
【００１９】
【図１】本発明による天井埋込型の空気調和機を、吸込グリルやエアフィルタを取り外して下方から見た矢視図である。
【図２】図１に示すａ部の拡大図である。
【図３】本発明による天井埋込型の空気調和機の断面図である。
【図４】従来例による天井埋込型の空気調和機の断面図である。
【発明を実施するための形態】
【００２０】
以下、本発明を実施するための形態を、添付図面に基づいた実施例として詳細に説明する。
【実施例１】
【００２１】
本発明による天井埋込型の空気調和機は、実施例１として図１乃至図３に示すように、空気調和機の本体１の下部中央にベルマウス１４からなる空気吸込部２が設けられ、空気吸込部２の外側に空気吹出部３が設けられ、これら空気吸込部２と空気吹出部３とを結ぶ空気通路には、ベルマウス１４を臨ませた送風ファンおよびファンモータからなる送風機４と、下部にドレンパン６を備えた熱交換器５とが設けられている。
【００２２】
本体１の下部には、ダクトＤにより、下部中央の空気吸込部２に向けて外気を取り込めるように構成したスペーサ１３が設けられている。
【００２３】
スペーサ１３は、本体１に備えた空気吸込部２に連通する空気吸込路１３ａと、本体１に備えた空気吹出部３に連通する空気吹出路１３ｂとを備えており、これら空気吸込路１３ａと空気吹出路１３ｂとは夫々が上下に貫通した構成になっている。
【００２４】
スペーサ１３の下部には、本体１の下部中央に備えた空気吸込部２と、スペーサ１３に備えた空気吸込路１３ａとに連通する吸込口７を有するとともに、空気吸込部２の外側に備えた空気吹出部３と、スペーサ１３に備えた空気吹出路１３ｂとに連通する吹出口８を有する化粧パネル９が設けられており、図３に示すように、本体１と、スペーサ１３と、化粧パネル９とで天井埋込型の空気調和機が構成されている。
【００２５】
これにより、図３に示す矢印ａのように送風機４によって吸込口７から吸い込まれた室内空気と、図１乃至図３に示す矢印ｂのようにダクトＤにより取り込まれた外気とが、スペーサ１３に備えた空気吸込路１３ａから送風機４を経て熱交換器５に送出され熱交換されて、スペーサ１３に備えた空気吹出路１３ｂを経て化粧パネル９に備えた吹出口８に送出され、吸込口７から吸い込まれた室内空気と、フレッシュエアとして取り込まれた外気とが混合したのち熱交換された調和空気として、吹出口８から室内に吹き出されることになる。
【００２６】
空気吸込部２をなすベルマウス１４の内側には、例えば、図３に示すように第一の室温センサ１２’が搭載されるとともに、ベルマウス１４の一側方には電装部１１が設けられている。
【００２７】
ベルマウス１４の下部にはスペーサ１３が設けられており、図１および図３に示すように、ベルマウス１４の一側方に設けた電装部１１に対向しているベルマウス１４の他側方の下位部であって、スペーサ１３に備えた室内空気を吸い込む空気吸込路１３ａの吸込側の側壁には、第二の室温センサ１２が設けられている。
【００２８】
第二の室温センサ１２の両側方となるスペーサ１３のコーナ部近傍であって、第二の室温センサ１２よりも送風機４に近い位置となる第二の室温センサ１２の上位部には、外気を取り込むためのダクトＤが接続される取込口１０が設けられている。
【００２９】
これにより、第二の室温センサ１２は、送風機４によってダクトＤから取り込まれた外気（の流れ）が直接には触れにくい位置に設けられた構成になるので、吸込口７から吸い込まれた室内空気と、ダクトＤから取り込まれた外気とに温度差があったとしても、この温度差を有する外気の影響を受けることなく室温を検出できるようになる。
【００３０】
なお、ベルマウス１４の内側には、検出した室温に基づいて空気調和するために第一の室温センサ１２’が搭載されているが、取り込んだ外気と混じる室内空気の温度を正確に検出できるようにするため、第二の室温センサ１２が、スペーサ１３に第一の室温センサ１２’と切替え可能に、もしくは第一の室温センサ１２’に替えて設けられている。
【００３１】
第一の室温センサ１２’と切替え可能に設けられた第二の室温センサ１２は、第一の室温センサ１２’を残したままで、例えば、本体１と化粧パネル９との間に、オプション部品としてスペーサ１３を設けてダクトＤを接続するような場合、配線を切り替える形でスペーサ１３に第二の室温センサ１２を設けている。
【００３２】
この場合、第一の室温センサ１２’に接続されている配線を取り外して、第二の室温センサ１２に接続することで物理的に切替えられるように構成してもよいし、または、第一の室温センサ１２’に接続されている配線（通電）がＯＦＦになり、第二の室温センサ１２に接続されている配線（通電）がＯＮになるように電気的に切替えられる構成にしてもよい。
【００３３】
なお、第一の室温センサ１２’と、第二の室温センサ１２とを電気的に切替え可能にした場合、例えば、第一の室温センサ１２’の配線（通電）をＯＮにして、ダクトＤにより空気吸込路１３ａに取り込まれた外気と、吸込口７から空気吸込路１３ａに吸い込まれた室内空気とが混合した空気の温度を検出できるようにしてもよく、または、第二の室温センサ１２の配線（通電）をＯＮにして、空気吸込路１３ａに吸い込まれた室内空気の温度を検出できるようにしてもよい。
【００３４】
室内を目標温度に空気調和する際、第二の室温センサ１２で検出した室温に基づいて図示しない圧縮機や送風機４が図示しない制御部で制御されるが、その際、実際には外気と室内空気との混合空気が熱交換器５で熱交換される構成であることから、外気と室内空気とが混合した空気の温度を第一の室温センサ１２’で検出して、図示しない圧縮機や送風機４を図示しない制御部で制御することにより最適な熱交換が行え、目標温度に対する室温を第二の室温センサ１２で管理しているので最適な制御が行えるようになる。
【００３５】
また、図１に示すａ部のように第二の室温センサ１２を設ける代わりに、第一の室温センサ１２’を取り外して、この取り外した第一の室温センサ１２’を図１のａ部に示すスペーサ１３に設けるようにしてもよいし、または、第一の室温センサ１２’を取り外したままの状態で、新たに、図１のａ部に示すスペーサ１３に室温を検出する専用のセンサとして第二の室温センサ１２を設けるようにしてもよい。
【００３６】
スペーサ１３に設けられた第二の室温センサ１２は、図３に示すように、スペーサ１３に備えた外気取込用の取込口１０よりも下位部であって、室内空気が吸い込まれる空気吸込路１３ａの吸込側の側壁に配置されている。
【００３７】
このため、送風機４によって、吸込口７から室内空気が吸い込まれ、取込口１０から外気が取り込まれた際、送風機４に対し、第二の室温センサ１２よりも取込口１０が近距離に配置された構成になるので、第二の室温センサ１２が、取込口１０から取り込まれた外気の温度を検出してしまう恐れはない。
【００３８】
これにより、第二の室温センサ１２が室温を正確に検出できるので、外気温の影響を受けるということがなく、外気温が室内の空気調和に悪影響を及ぼしてしまうということがなくなる。
【００３９】
また、第二の室温センサ１２が、スペーサ１３に備えた空気吸込路１３ａの吸込側に設けられていることから、例えば、開閉可能な化粧パネル９に設けられたような場合に較べて配線長を短くできる。
【００４０】
また、第二の室温センサ１２は、図１および図２に示すように、取込口１０から取り込まれた外気の一部が直接に当たりにくくするための遮風体１２ａが設けられた構成になっている。
【００４１】
第二の室温センサ１２に外気が当たりにくくする遮風体１２ａを設けたことで、図１および図２に示す矢印ｂのように取込口１０から取り込まれた外気流の一部が、第二の室温センサ１２に直接に触れてしまわないように遮風できる構成になる。
【００４２】
以上説明したように、本発明による構成であれば、送風機４によってダクトＤから取り込まれた外気（の流れ）が、空気吸込路１３ａの吸込側の側壁に設けられた第二の室温センサ１２に直接触れてしまう恐れがないので、吸込口７から吸い込まれた室内空気の温度（室温）を第二の室温センサ１２で正確に検出できるようになる。
【００４３】
そのため、外気温に影響されることなく室温を正確に検出できるので、正確に検出した室温に基づいて、室内の快適な空気調和を実現できるようにした天井埋込型の空気調和機を提供できる。
【符号の説明】
【００４４】
１  空気調和機の本体
２  空気吸込部
３  空気吹出部
４  送風機
５  熱交換器
６  ドレンパン
７  吸込口
８  吹出口
９  化粧パネル
Ｄ  ダクト
１０  取込口
１１  電装部
１２  第二の室温センサ
１２’  第一の室温センサ
１２ａ  遮風体
１３  スペーサ
１３ａ  空気吸込路
１３ｂ  空気吹出路
１４  ベルマウス
【図１】
2010210131.tif 000003
【図２】
2010210131.tif 000004
【図３】
2010210131.tif 000005
【図４】
2010210131.tif 000006